(57)【特許請求の範囲】
【請求項１】
野球とその他のイベントとを開催することのできるスタジアムのフィールドに設けられるピッチャーズマウンドの転換装置において、ピッチャーズマウンド位置に設けられた円筒状ピットと、同ピットの開口形状にほぼ一致する形状を有し中心線に沿った水平な支軸によって上記ピット側縁部の軸受に回転可能に支持された蓋と、同蓋の一方の面に設けられたピッチャーズマウンドと、上記の蓋を支軸を介して回転させるためにフィールドの地面の下に設けられた回転駆動装置と、上記の蓋をピッチャーズマウンドを上にした状態と蓋自体が全面的に露出している面を上にした状態とにおいてロックするロック手段とから構成され、フィールドの用途に応じて上記の蓋をピッチャーズマウンドを上にした状態と蓋自体が全面的に露出している面を上にした状態との間で転換させることを特徴とするピッチャーズマウンドの転換装置。
【請求項２】
上記ピットの開口及び上記の蓋が、共に円形状をなしていることを特徴とする請求項１に記載のピッチャーズマウンドの転換装置。
【請求項３】
上記の蓋のピッチャーズマウンドが設けられている側に、着脱可能な土押さえカバーが設けられていることを特徴とする請求項１又は請求項２に記載のピッチャーズマウンドの転換装置。
【請求項４】
上記の蓋が、上記ピット内周辺部に設けられたアウトリガーによって支持されることを特徴とする請求項１から請求項３までのいずれかに記載のピッチャーズマウンドの転換装置。
【発明の詳細な説明】
【０００１】
【発明の属する技術分野】
この発明は、野球や他のイベントを開催できるスタジアムのピッチャーズマウンドをその使用位置と格納位置とに転換できるピッチャーズマウンドの転換装置に関する。
【０００２】
【従来の技術】
従来のピッチャーズマウンドの転換装置５０では、図４と図５に示すように、ほぼ円形開口のピット５１の左右の地中部に、二つ割れの半分のピット蓋５６Ａ、５６Ｂを格納する格納空間５２Ａ，５２Ｂが設けられている。ピッチャーズマウンドＰを上面に搭載し、ピット５１の開口に合致した形状の昇降蓋５３は、ピット５１の底部に設けられた昇降手段５４によって上下動するようになっており、上死点まで上昇されてロックされるとピッチャーズマウンドＰが提供される。
【０００３】
また、昇降蓋５３は、一枚に連結されたピット蓋５６をピット閉鎖位置と仮置き位置との間で昇降搬送する働きもする。ピット蓋５６は、格納の際は仮置き位置で連結手段が解放されて二分され、各半分のピット蓋５６Ａ，５６Ｂは、左右の格納空間５２Ａ，５２Ｂ内に左右のスライドテーブル５７Ａ，５７Ｂによって搬送格納され、その後にピッチャーズマウンドＰが上昇され使用可能になる。また、コンサート等の他のイベントを開催するためにピット５１の開口をピット蓋５６で塞ぐ場合は、昇降蓋５３が昇降手段５４によって下死点位置まで下げられ、格納されていた各半分のピット蓋５６Ａ，５６Ｂがスライドテーブル５７Ａ，５７Ｂによって昇降蓋５３上の仮置き位置に搬送されて連結され、一枚に連結された後にピット蓋５６は昇降蓋５３上に乗せられ、昇降手段５４によってピット閉鎖位置まで上昇させられ、往復動の支持手段５８によって周囲部において支持される。
【０００４】
【発明が解決しようとする課題】
しかし、上記従来のピッチャーズマウンドの転換装置５０では、昇降手段５４やスライドテーブル５７Ａ，５７Ｂが使用されて作動機構が複雑になっており、またピット蓋５６の分割や連結作業が必要とされて転換に時間がかかるほか、製造コストや工事コストが高くなり、更に保守コストがかかる。また左右の格納空間５２Ａ，５２Ｂも必要で、使用空間が大きくなっている。
【０００５】
本発明は、上記従来技術の欠点を解消したものであって、作動機構が比較的簡単で、転換時間が短く、製造コストや工事コストが削減され、保守コストも少なくて済み、省スペースに優れたピッチャーズマウンドの転換装置を提供することを目的としている。
【０００６】
【課題を解決するための手段】
本発明は上記課題を解決したものであって、野球とその他のイベントとを開催することのできるスタジアムのフィールドに設けられるピッチャーズマウンドの転換装置において、次の特徴を有するピッチャーズマウンドの転換装置に関するものである。  （１）  ピッチャーズマウンド位置に設けられた円筒状ピットと、同ピットの開口形状にほぼ一致する形状を有し中心線に沿った水平な支軸によって上記ピット側縁部の軸受に回転可能に支持された蓋と、同蓋の一方の面に設けられたピッチャーズマウンドと、上記の蓋を支軸を介して回転させるためにフィールドの地面の下に設けられた回転駆動装置と、上記の蓋をピッチャーズマウンドを上にした状態と蓋自体が全面的に露出している面を上にした状態とにおいてロックするロック手段とから構成され、フィールドの用途に応じて上記の蓋をピッチャーズマウンドを上にした状態と蓋自体が全面的に露出している面を上にした状態との間で転換させる。
【０００７】
本発明は上記構成となっているので、部品点数が大幅に削減され、また転換も１回の操作で済み、転換時間が短く、製造コストや工事コストが削減され、保守コストも少なくて済む。必要スペースもピット形成に必要とされるだけで、省スペースとなっている。
【０００８】
（２）  上記（１）項に記載のピッチャーズマウンドの転換装置において、ピットの開口及び蓋が、共に円形状をなしている。ピット開口及び蓋が円形状を成していることによって、ピッチャーズマウンドの形成に適しており、回転動作も容易に行われ、必要スペースも最小限に押さえられる。
【０００９】
（３）  上記（１）項及び（２）項に記載のピッチャーズマウンドの転換装置において、蓋のピッチャーズマウンドが設けられている側に、着脱可能な土押さえカバーが設けられている。従って、野球以外のイベントを開催するためにピッチャーズマウンドが下になるよう転換した場合に、ピッチャーズマウンドの土がピット内に落下することが防止され、ピット内の汚れが防がれ、また野球開催時に土の搬入量も少なくて済み、ピッチャーズマウンドは短時間で再整備できる。
【００１０】
（４）  上記（１）項〜（３）項に記載のピッチャーズマウンドの転換装置において、蓋が、上記ピット内周辺部に設けられたアウトリガーによって支持される。この構成によって、蓋は一層安定する。
【００１１】
【発明の実施の形態】
本発明の実施の一形態に係るピッチャーズマウンドの転換装置を、添付図面を参照にして以下に詳細に説明する。図１は代表実施形態のピッチャーズマウンド転換装置の野球使用状態の一部切り欠き平面図、図２は図１におけるII−II線に沿った断面図、図３は同ピッチャーズマウンドの転換装置の野球以外使用への転換を示す断面図である。
【００１２】
図１から図３において、本実施形態のピッチャーズマウンドの転換装置１は、野球や他のイベントを開催できるスタジアムのフィールドＦのピッチャーズマウンド位置に設けられた円筒状ピット１０と、同ピット１０の円形開口１１にほぼ一致した若干小径の円形状をなし中心線Ｌ１に沿った支軸２１，２２によって回転可能にピット側縁部の軸受２５，２６に支持された蓋２０と、同蓋２０の一方側の面上に設けられたピッチャーズマウンド３０と、蓋２０をその支軸２１，２２を介してピッチャーズマウンド側と他方側とに転換回転駆動する回転駆動手段４０と、蓋２０をピッチャーズマウンド側と他方側との各々においてロックするロック手段４６とから構成されている。
【００１３】
ピット１０は、内部に排水装置以外特に主要な装置を配置しておらず、円形蓋２０の転換回転の空間を提供するだけの簡単な省スペース構造となっている。ピット１０の開口１１の縁部で中心線Ｌ１に沿った位置の地面下の空洞１２，１３には、蓋支軸２１，２２を軸承する軸受２５，２６が据え付けられている。また一方の空洞１３に連続した空洞１４には、蓋２０の回転駆動手段４０が据え付けられている。回転駆動手段４０は、駆動モータ４１によって回転駆動される減速機４２の出力軸４２Ａに取り付けられたスプロケットホイール４３によって、チェーン４４を介して、蓋支軸２２に取り付けられたスプロケットホイール４５を一方にゆっくり回転駆動するようになっている。
【００１４】
蓋２０は、円形状をなし、ピッチャーズマウンドの形成に適しており、また転換回転作動も容易に行われる。蓋２０のピッチャーズマウンド３０が搭載された一方側の面には、比較的硬質な土押さえカバー２９が着脱可能に取り付けられており、野球以外のイベントを開催するためにピッチャーズマウンド３０が下になるように転換された場合に、ピッチャーズマウンド３０の土がピット１０内に落下するのが防止されるようになっている。ピッチャーズマウンド３０の反対側の面３５は、平坦になっており、野球以外の使用位置でフィールドＦと同一面をなすようになっている。
【００１５】
蓋２０の外周面には、支軸２１，２２を通る中心線Ｌ１に直交する中心線Ｌ２に沿ってロック手段４６の二つの穴４６Ａが設けられており、野球使用位置と野球以外の使用位置とでロック手段４６のピン４６Ｂが挿入されて、蓋２０がロックされるようになる。ロック手段４６の他に、直交中心線Ｌ１，Ｌ２の間において４個のアウトリガー４７が設けられており、楔状当接部４７Ｂで蓋２０の楔状当接部４７Ａを下側から支持するようになっている。これらロック手段４６やアウトリガー４７は、ピット１０の開口１１の縁部の地面下の空洞に据え付けられた伸縮シリンダから構成されている。
【００１６】
上記実施形態では、回転駆動手段４０をスプロケットホイール４３，４５とチェーン４４を使用した間接駆動方式としているが、減速機４２の出力軸４２Ａを支軸２２に直結した直接駆動方式とすることができる。また、蓋２０は、円形以外に、中心線Ｌ１に対して左右対称な多角形とすることもできる。
【００１７】
【発明の効果】
本発明の請求項１に記載のピッチャーズマウンドの転換装置によれば、ピッチャーズマウンドがピットの蓋の一面に組み込まれており、ただ一組の回転駆動手段によってピッチャーズマウンド付き蓋がピッチャーズマウンド側と他方側とに回転転換されるため、部品点数を大幅に削減でき、また転換も一回の作動操作で済ませられ、転換時間を大幅に短縮できる。また簡単な省スペースのピット構造と少ない部品点数によって、製造コストや工事コストを削減でき、保守コストも削減できる。
【００１８】
請求項２に記載のピッチャーズマウンドの転換装置によれば、ピット開口及び上記の蓋が、円形状を成しているために、ピッチャーズマウンドが楽に形成することができ、蓋の転換回転作動も容易に行われ、また必要スペースも最小限に抑えることができる。
【００１９】
請求項３に記載のピッチャーズマウンドの転換装置によれば、蓋が、ピッチャーズマウンド側に着脱可能な土押さえカバーを有しているために、野球以外のイベントを開催するためにピッチャーズマウンドが下になるように転換されている場合に、ピッチャーズマウンドの土がピット内に落下するのを防止でき、ピット内が汚れるのを防止できる。また野球開催時に土の搬入量も少なく済ませることができ、ピッチャーズマウンドを短時間で再整備できる。
【００２０】
請求項４に記載のピッチャーズマウンドの転換装置によれば、蓋が、ピット周辺部に設けられたアウトリガーによって支持されているために、支軸とロック手段に加えてアウトリガーによっても支持されて、蓋をより安定させることができる。
【図面の簡単な説明】
【図１】本発明の実施の一形態に係るピッチャーズマウンドの転換装置の野球使用状態における一部切り欠き平面図である。
【図２】図１におけるII−II線に沿った断面図である。
【図３】同ピッチャーズマウンドの転換装置の野球以外の使用への転換を示す縦断面図である。
【図４】従来のピッチャーズマウンドの転換装置の縦断面図で、右側半分にピット蓋の半分を格納空間に格納した状態を示し、左側半分にピット蓋でピット開口を塞ぐように昇降蓋で上昇された状態を示している。
【図５】図４におけるＶ−Ｖ線の沿った断面図である。
【符号の説明】
１            ピッチャーズマウンドの転換装置
１０          ピット
１１          開口
２０          蓋
２１          支軸
２２          支軸
２５          軸受
２６          軸受
２９          土押さえカバー
３０          ピッチャーズマウンド
３５          ピッチャーズマウンド側と反対側面
４０          回転駆動手段
４６          ロック手段
４７          アウトリガー
Ｆ            フィールド
Ｌ１，Ｌ２    中心線
【図１】
0003686190.tif 000002
【図２】
0003686190.tif 000003
【図３】
0003686190.tif 000004
【図４】
0003686190.tif 000005
【図５】
0003686190.tif 000006